(57)【要約】【課題】回路基板に実装された回路部品のリードを収納する隙間をベースケースとの間に空けてベースケースに回路基板を取り付け、さらにベースケースにカバーケースを連結させて、回路基板をベースケースとカバーケースとの間に収納した放電灯点灯装置において、簡単な加工により、ベースケースと回路基板との間の隙間のうち外部に露出した部分を塞ぎ、虫等の侵入を防止することを目的とする。【解決手段】回路基板３とベースケース５との間に設けられ、回路基板３とベースケース５とを絶縁するベース用絶縁板４を回路基板３の長手方向端部付近で回路基板３側へ折り曲げ、回路基板３の長手方向端部を覆う。【選択図】図４
2010282778.tif 000002
【特許請求の範囲】
【請求項１】
ランプを点灯する回路部品が実装された回路基板と、
ベース板と前記ベース板の短手方向の両端部が折り曲げられて形成されたベース側板とを有するベースケースであって、前記回路基板の一方の面と前記ベース板との間に所定の間隔を空けて前記回路基板が取り付けられるベースケースと、
カバー板と前記カバー板の短手方向の両端部が折り曲げられて形成されたカバー側板とを有するカバーケースであって、前記ベースケースの前記ベース側板に前記カバー側板が取り付けられて前記回路基板を前記ベースケースとの間に収納するカバーケースと、
前記回路基板の前記一方の面と前記ベースケースの前記ベース板との間に設けられ、前記回路基板と前記ベースケースとを絶縁するベース用絶縁板であって、前記回路基板の長手方向端部付近で前記回路基板側へ折り曲げられ、前記回路基板の長手方向端部と前記ベース板との間を塞ぐベース用絶縁板と
を備えることを特徴とする点灯装置。
【請求項２】
前記ベースケースは、前記ベース板に前記回路基板側へ突出した突出部が設けられ、
前記ベース用絶縁板は、前記回路基板側へ折り曲げられた折り曲げ部が前記ベースケースに設けられた突出部に接して設けられた
ことを特徴とする請求項１に記載の点灯装置。
【請求項３】
ランプを点灯する回路部品が実装された回路基板と、
ベース板と前記ベース板の短手方向の両端部が折り曲げられて形成されたベース側板とを有するベースケースであって、前記回路基板の一方の面と前記ベース板との間に所定の間隔を空けて前記回路基板が取り付けられるベースケースと、
カバー板と前記カバー板の短手方向の両端部が折り曲げられて形成されたカバー側板とを有するカバーケースであって、前記ベースケースの前記ベース側板に前記カバー側板が取り付けられて前記回路基板を前記ベースケースとの間に収納するカバーケースと、
前記回路基板の前記一方の面と前記ベースケースの前記ベース板との間の前記回路基板の長手方向端部付近に設けられ、前記回路基板の短手方向の幅と略同一の幅で、前記一方の面と前記ベース板との間に空けられた前記所定の間隔と略同一の高さの部材と
を備えることを特徴とする点灯装置。
【請求項４】
ランプを点灯する回路部品が実装された回路基板と、
ベース板と前記ベース板の短手方向の両端部が折り曲げられて形成されたベース側板とを有し、前記回路基板の一方の面と前記ベース板との間に所定の間隔を空けて前記回路基板が取り付けられるベースケースであって、前記回路基板の長手方向端部付近に、前記回路基板の短手方向の幅と略同一の幅で、前記一方の面と前記ベース板との間に空けられた前記所定の間隔と略同一の高さの凸部を有するベースケースと、
カバー板と前記カバー板の短手方向の両端部が折り曲げられて形成されたカバー側板とを有するカバーケースであって、前記ベースケースの前記ベース側板に前記カバー側板が取り付けられて前記回路基板を前記ベースケースとの間に収納するカバーケースと
を備えることを特徴とする点灯装置。
【請求項５】
前記点灯装置は、さらに、
一部が前記カバーケースの外側になるように前記回路基板の長手方向端部側に設けられた端子台であって、前記回路基板の短手方向の幅と略同一の幅の端子台
を備えることを特徴とする請求項１から４までのいずれかに記載の点灯装置。
【請求項６】
前記点灯装置は、さらに、
前記回路基板の他方の面と前記カバーケースの前記カバー板との間に設けられ、前記回路基板と前記カバーケースとを絶縁するカバー用絶縁板であって、前記カバーケースの長手方向端部付近で前記回路基板側へ折り曲げられ、前記回路基板の前記他方の面と接するカバー用絶縁板
を備えることを特徴とする請求項１から４までのいずれかに記載の点灯装置。
【請求項７】
請求項１から６のいずれかに記載の点灯装置と、
前記点灯装置が取り付けられる器具本体と
を備えることを特徴とする照明器具。
【発明の詳細な説明】
【技術分野】
【０００１】
この発明は、ランプを点灯させる点灯装置に関する。
【背景技術】
【０００２】
照明器具に搭載される放電灯点灯装置は、一般に、回路部品が実装される回路基板がケースで覆われた構造である。
特許文献１，２，３には、金属製のベースケースに回路基板を取り付け、ベースケースに金属製のカバーケースを連結させて、回路基板をベースケースとカバーケースとの間に収納した放電灯点灯装置について記載がある。この放電灯点灯装置では、回路基板に取り付けられた回路部品のリードが回路基板から突出するため、ベースケースと回路基板との間に所定の隙間を空けて、ベースケースに回路基板を取り付けている。
【先行技術文献】
【特許文献】
【０００３】
【特許文献１】特開２００３−１８８４８１号公報
【特許文献２】特開２００３−１００１４０号公報
【特許文献３】特開２００２−３１３１２８号公報
【発明の概要】
【発明が解決しようとする課題】
【０００４】
特許文献１，２に記載された放電灯点灯装置では、回路基板の長手方向端部付近に端子台が実装され、端子台が実装された部分の回路基板はカバーケースの外側に露出している。そのため、回路基板の長手方向端部では、ベースケースと回路基板との間に空けられた隙間は、カバーケースに覆われていない。その結果、ベースケースと回路基板との間に空けられた隙間に虫等が侵入してしまい、回路充電部が短絡する場合がある。
【０００５】
特許文献３に記載された放電灯点灯装置でも、特許文献１，２に記載された放電灯点灯装置と同様に、回路基板の長手方向端部付近に端子台が実装されている。しかし、特許文献３に記載された放電灯点灯装置では、ベースケースの長手方向端部を切り起こして、端子台の一部を外部へ露出させつつ、ベースケースと回路基板との間に空けられた空間を塞いでいる。但し、この放電灯点灯装置の構造では、ベースケースの加工が複雑である。
【０００６】
この発明は、例えば、簡単な加工により、ベースケースと回路基板との間に空けられた隙間のうち外部に露出した部分を塞ぐことを目的とする。
【課題を解決するための手段】
【０００７】
この発明に係る点灯装置は、例えば、
ランプを点灯する回路部品が実装された回路基板と、
ベース板と前記ベース板の短手方向の両端部が折り曲げられて形成されたベース側板とを有するベースケースであって、前記回路基板の一方の面と前記ベース板との間に所定の間隔を空けて前記回路基板が取り付けられるベースケースと、
カバー板と前記カバー板の短手方向の両端部が折り曲げられて形成されたカバー側板とを有するカバーケースであって、前記ベースケースの前記ベース側板に前記カバー側板が取り付けられて前記回路基板を前記ベースケースとの間に収納するカバーケースと、
前記回路基板の前記一方の面と前記ベースケースの前記ベース板との間に設けられ、前記回路基板と前記ベースケースとを絶縁するベース用絶縁板であって、前記回路基板の長手方向端部付近で前記回路基板側へ折り曲げられ、前記回路基板の長手方向端部と前記ベース板との間を塞ぐベース用絶縁板と
を備えることを特徴とする。
【発明の効果】
【０００８】
この発明に係る放電灯点灯装置は、ベース用絶縁板を折り曲げることによりベースケースと回路基板との間に空けられた隙間を塞ぐ。したがって、簡単な加工により、ベースケースと回路基板との間に空けられた隙間を塞ぐことが可能である。
【図面の簡単な説明】
【０００９】
【図１】放電灯点灯装置２０の基本構成を示す分解斜視図。
【図２】放電灯点灯装置２０の基本構成を示す斜視図。
【図３】放電灯点灯装置２０の基本構成を示す図であり、（ａ）が左側面図、（ｂ）が平面図の一部、（ｃ）が正面図の一部、（ｄ）が長手方向の断面図の一部。
【図４】実施の形態１に係る放電灯点灯装置２０を示す図であり、（ａ）が左側面図、（ｂ）が平面図の一部、（ｃ）が正面図の一部、（ｄ）が長手方向の断面図の一部。
【図５】実施の形態１に係るベース用絶縁板４を示す斜視図。
【図６】実施の形態２に係る放電灯点灯装置２０を示す図であり、（ａ）が左側面図、（ｂ）が平面図の一部、（ｃ）が正面図の一部、（ｄ）が長手方向の断面図の一部。
【図７】実施の形態２に係る回路基板３を示す斜視図。
【図８】実施の形態２に係る放電灯点灯装置２０を示す図であり、（ａ）が左側面図、（ｂ）が平面図の一部、（ｃ）が正面図の一部、（ｄ）が長手方向の断面図の一部。
【図９】実施の形態３に係る放電灯点灯装置２０を示す図であり、（ａ）が左側面図、（ｂ）が平面図の一部、（ｃ）が正面図の一部、（ｄ）が長手方向の断面図の一部。
【図１０】実施の形態３に係るベースケース５を示す斜視図。
【図１１】実施の形態４に係る放電灯点灯装置２０を示す図であり、（ａ）が左側面図、（ｂ）が平面図の一部、（ｃ）が正面図の一部、（ｄ）が長手方向の断面図の一部。
【図１２】実施の形態５に係る放電灯点灯装置２０を示す図であり、（ａ）が左側面図、（ｂ）が平面図の一部、（ｃ）が正面図の一部、（ｄ）が長手方向の断面図の一部。
【図１３】実施の形態５に係るカバー用絶縁板２の斜視図。
【図１４】実施の形態５に係る放電灯点灯装置２０を示す図であり、（ａ）が左側面図、（ｂ）が平面図の一部、（ｃ）が正面図の一部、（ｄ）が長手方向の断面図の一部。
【図１５】図１２に示す絶縁板立ち下げ部２−１と回路基板３の部品実装面との接触部分の説明図。
【発明を実施するための形態】
【００１０】
実施の形態１．
まず、図１から図３に基づき、放電灯点灯装置２０の基本構成について説明する。
図１は、放電灯点灯装置２０の基本構成を示す分解斜視図である。図２は、放電灯点灯装置２０の基本構成を示す斜視図である。図３は、放電灯点灯装置２０の基本構成を示す図であり、（ａ）が左側面図（図２のＡ方向から見た図）、（ｂ）が平面図（図２のＢ方向から見た図）の一部、（ｃ）が正面図（図２のＣ方向から見た図）の一部、（ｄ）が長手方向の断面図（図２のＤ−Ｄ’断面図）の一部である。
【００１１】
放電灯点灯装置２０は、カバーケース１、カバー用絶縁板２、回路基板３、ベース用絶縁板４、ベースケース５を備える。
回路基板３は長方形に形成され、放電灯を点灯する回路部品７が実装される。また、回路基板３には、商用電源から電流が入力される入力用端子台６ａと、放電灯へ電流を出力する出力用端子台６ｂとが設けられる。なお、入力用端子台６ａと出力用端子台６ｂとを総称して端子台６と呼ぶ。
ベースケース５は、ベース板５−１と、ベース板５−１の短手方向の両端部を折り曲げられて形成されたベース側板５−２とを有する。ベースケース５には、回路基板３が取り付けられる。特に、回路基板３の回路部品７が実装された部品実装面の裏側のはんだ面側をベースケース５側に向けて、ベースケース５に回路基板３が取り付けられる。また、ベースケース５のベース板５−１と回路基板３のはんだ面との間には、高さＨ１（図３（ａ）参照）の隙間８が空けられて、ベースケース５に回路基板３が取り付けられる。例えば、ベースケース５のベース板５−１又はベース側板５−２に切り起こしが設けられ、その切り起こしに回路基板３を取り付けることにより、ベース板５−１とはんだ面との間に隙間８が空けられる。
カバーケース１は、カバー板１−１と、カバー板１−１の短手方向の両端部が折り曲げられて形成されたカバー側板１−２と、カバー板１−１の長手方向の両端部が折り曲げられて形成されたカバー端板１−３とを有する。カバーケース１のカバー側板１−２は、ベースケース５のベース側板５−２に外側から取り付けられ、カバーケース１とベースケース５との間に回路基板３を収納する。また、カバー端板１−３は、カバー側板１−２がベース側板５−２に取り付けられた場合に端子台６を囲うような形状（図では略Ｌ字型）に形成される。
ベース用絶縁板４は、回路基板３とベースケース５との間に設けられ、回路基板３とベースケース５とを絶縁する。特に、ベース用絶縁板４は、短手方向の両側が折り曲げられ、ベースケース５のベース板５−１とベース側板５−２とに沿うように密着して設けられる。
カバー用絶縁板２は、回路基板３とカバーケース１との間に設けられ、回路基板３とカバーケース１とを絶縁する。特に、カバー用絶縁板２は、湾曲して形成され、回路基板３の部品実装面を覆うように設けられる。
なお、カバー用絶縁板２やベース用絶縁板４の厚さは、図では分かり易くするため厚く示すが、実際には無視できる程度である。
【００１２】
この放電灯点灯装置２０では、図２と図３（ｄ）とに示すように、回路基板３の長手方向端部では、回路基板３のはんだ面とベース用絶縁板４との間の隙間８がカバーケース１の外部に露出している。そのため、この隙間８へ虫等が侵入してしまう虞がある。
【００１３】
図４は、実施の形態１に係る放電灯点灯装置２０を示す図であり、図３と同様に（ａ）が左側面図、（ｂ）が平面図の一部、（ｃ）が正面図の一部、（ｄ）が長手方向の断面図の一部である。図５は、実施の形態１に係るベース用絶縁板４を示す斜視図である。
なお、実施の形態１に係る放電灯点灯装置２０について、図１から図３に示す放電灯点灯装置２０と異なる部分のみ説明する。
【００１４】
図４，５に示すように、ベース用絶縁板４には、長手方向端部付近で回路基板３側へ折り曲げられた絶縁板立ち上げ部４−１が設けられる。
絶縁板立ち上げ部４−１は、ベース用絶縁板４が取り付けられたベースケース５に回路基板３が取り付けられた場合に、回路基板３の長手方向端部を覆う。つまり、絶縁板立ち上げ部４−１は、ベース用絶縁板４が取り付けられたベースケース５に回路基板３が取り付けられた場合に、回路基板３の長手方向端部に接するように設けられる。
絶縁板立ち上げ部４−１により、回路基板３の長手方向端部において、回路基板３のはんだ面とベースケース５のベース板５−１との間の隙間８が塞がれる。したがって、隙間８へ虫等が侵入することを防ぐことができる。
【００１５】
また、ベースケース５には、長手方向端部付近に切り起こし５−３が設けられる。切り起こし５−３は、ベースケース５に回路基板３が取り付けられた場合に、回路基板３の長手方向端部が位置する部分に設けられる。
そのため、長手方向端部付近が折り返されたベース用絶縁板４をベースケース５に取り付ける場合に、絶縁板立ち上げ部４−１が切り起こし５−３に当たるように取り付けることで、回路基板３のはんだ面とベースケース５のベース板５−１との間の隙間８を塞ぐことができる。つまり、切り起こし５−３は、ベース用絶縁板４の設置位置の位置決めに利用される。
【００１６】
なお、本実施の形態では、放電灯を用いる場合について説明したが、放電灯に代え、白色電球やＬＥＤ等のランプであってもよい。
また、本実施の形態にかかる点灯装置（放電灯点灯装置２００）と器具本体とを備える照明器具であれば、器具本体内に虫等が侵入しても、点灯装置内に進入することを防止できる。
【００１７】
実施の形態２．
実施の形態２では、実施の形態１と同様に、回路基板３のはんだ面側と、ベースケース５との間に虫等が侵入することを防止する構成について説明する。
なお、実施の形態２に係る放電灯点灯装置２０について、図１から図３に示す放電灯点灯装置２０と異なる部分のみ説明する。
【００１８】
図６は、実施の形態２に係る放電灯点灯装置２０を示す図であり、図３と同様に（ａ）が左側面図、（ｂ）が平面図の一部、（ｃ）が正面図の一部、（ｄ）が長手方向の断面図の一部である。図７は、実施の形態２に係る回路基板３を示す斜視図である。
【００１９】
図６，７に示すように、回路基板３のはんだ面の長手方向端部付近には、面実装部品３−１（所定の回路部品）が設けられる。
面実装部品３−１の高さＨ２は、隙間８の高さＨ１（図３（ａ）参照）と略同一である。また、回路基板３の短手方向の面実装部品３−１の幅Ｗ２は、回路基板３の短手方向の幅Ｗ１（図３（ａ）参照）と略同一である。
したがって、ベースケース５に回路基板３を取り付けた場合に、回路基板３の長手方向端部付近で面実装部品３−１により隙間８が塞がれる。
なお、面実装部品３−１は、略矩形状である。そのため、ベース用絶縁板４が取り付けられたベースケース５に、回路基板３を取り付けた場合に、面実装部品３−１はベース用絶縁板４と面で接する。したがって、確実に虫等の侵入を防ぐことができる。
【００２０】
図８は、図６，７とは異なる実施の形態２に係る放電灯点灯装置２０を示す図であり、図３と同様に（ａ）が左側面図、（ｂ）が平面図の一部、（ｃ）が正面図の一部、（ｄ）が長手方向の断面図の一部である。
【００２１】
図８に示す放電灯点灯装置２０では、回路基板３に面実装部品３−１を設けることに代え、回路基板３の長手方向端部付近の回路基板３とベース用絶縁板４との間に、パッキン等の害虫防除部材９が設けられる。害虫防除部材９の高さＨ３は隙間８の高さＨ１（図３（ａ）参照）と略同一であり、害虫防除部材９の幅Ｗ３は回路基板３の短手方向の幅Ｗ１（図３（ａ）参照）と略同一である。
したがって、ベースケース５に回路基板３を取り付けた場合に、害虫防除部材９により隙間８が塞がれる。
なお、害虫防除部材９は、略台形状である。そのため、ベース用絶縁板４が取り付けられたベースケース５に、回路基板３を取り付けた場合に、害虫防除部材９は回路基板３及びベース用絶縁板４と面で接する。したがって、確実に虫等の侵入を防ぐことができる。
【００２２】
なお、図では、ベース用絶縁板４の厚さ分隙間８が残っているように見えるが、上述したように、ベース用絶縁板４の厚さは無視できる程度であるため影響は無い。
【００２３】
実施の形態３．
実施の形態３では、実施の形態１，２と同様に、回路基板３のはんだ面側と、ベースケース５との間に虫等が侵入することを防止する構成について説明する。
なお、実施の形態３に係る放電灯点灯装置２０について、図１から図３に示す放電灯点灯装置２０と異なる部分のみ説明する。
【００２４】
図９は、実施の形態３に係る放電灯点灯装置２０を示す図であり、図３と同様に（ａ）が左側面図、（ｂ）が平面図の一部、（ｃ）が正面図の一部、（ｄ）が長手方向の断面図の一部である。図１０は、実施の形態３に係るベースケース５を示す斜視図である。
【００２５】
図９，１０に示すように、ベースケース５の長手方向端部付近には、回路基板３側へ突出した凸部５−４が設けられる。凸部５−４の高さＨ４は隙間８の高さＨ１（図３（ａ）参照）と略同一である。したがって、ベースケース５に回路基板３を取り付けた場合に、凸部５−４により隙間８が塞がれる。
なお、凸部５−４は、略台形状であり、回路基板３とベース用絶縁板４を介して面で接する。そのため、確実に虫等の侵入を防ぐことができる。
【００２６】
また、ベース用絶縁板４にも、ベースケース５の凸部５−４の形状とほぼ同じ凸部を備えてもよいし、ベースケース５に凸部５−４を設けず、ベース用絶縁板４のみに凸部５−４の形状とほぼ同じ凸部を備えてもよい。
【００２７】
実施の形態４．
以上の実施の形態では、回路基板３のはんだ面側と、ベースケース５との間に虫等が侵入することを防止する構成について説明した。実施の形態４では、回路基板３の部品実装面とカバーケース１との間に虫等が侵入することを防止する構成について説明する。
なお、実施の形態４に係る放電灯点灯装置２０について、図１から図３に示す放電灯点灯装置２０と異なる部分のみ説明する。
【００２８】
図１から図３に示す構成では、カバーケース１のカバー端板１−３は、端子台６部分を囲むように略Ｌ字型に形成され、カバーケース１と端子台６との間に隙間を空けないようにすることで、回路基板３の部品実装面とカバーケース１との間に虫等が侵入することを防止した。しかし、この構成では、カバーケース１の加工が複雑になる。
【００２９】
図１１は、実施の形態４に係る放電灯点灯装置２０を示す図であり、図３と同様に（ａ）が左側面図、（ｂ）が平面図の一部、（ｃ）が正面図の一部、（ｄ）が断面図の一部である。
【００３０】
図１１に示すように、端子台６の幅Ｗ４を回路基板３の短手方向の幅Ｗ１（図３（ａ）参照）と略同一の幅にする。また、端子台６のカバーケース１側を平面にする。これにより、カバーケース１の長手方向端部を単に回路基板３側へ折り曲げる加工をすれば、カバーケース１と端子台６との間の隙間を塞ぐことができる。したがって、カバーケース１を複雑な形状に加工する必要はない。
【００３１】
実施の形態５．
実施の形態５では、実施の形態４と同様に、回路基板３の部品実装面とカバーケース１との間に虫等が侵入することを防止する構成について説明する。
なお、実施の形態５に係る放電灯点灯装置２０について、図１から図３に示す放電灯点灯装置２０と異なる部分のみ説明する。
【００３２】
図１２は、実施の形態５に係る放電灯点灯装置２０を示す図であり、図３と同様に（ａ）が左側面図、（ｂ）が平面図の一部、（ｃ）が正面図の一部、（ｄ）が断面図の一部である。図１３は、実施の形態５に係るカバー用絶縁板２の斜視図である。
【００３３】
図１２，１３に示すように、カバー用絶縁板２は、短手方向の幅が回路基板３の短手方向の幅と略同一の矩形状に形成され、カバー用絶縁板２の長手方向端部付近には、回路基板３側へ折り曲げられた絶縁板立ち下げ部２−１が設けられる。
カバー用絶縁板２は、カバーケース１のカバー板１−１に密着するように設けられる。また、カバー用絶縁板２は、絶縁板立ち下げ部２−１が端子台６の背面部側（回路部品が実装される側）になるように設けられる（図１２（ｄ）参照）。また、絶縁板立ち下げ部２−１の高さＨ５は、カバー板１−１と回路基板３の部品実装面との間の距離Ｌ１と略同一である。つまり、絶縁板立ち下げ部２−１の端部は、回路基板３の部品実装面と接触する。
したがって、端子台６の背面部側で、回路基板３の部品実装面とカバーケース１との間の隙間は、絶縁板立ち下げ部２−１によって塞がれる。
【００３４】
図１４は、図１２とは異なる実施の形態５に係る放電灯点灯装置２０を示す図であり、図３と同様に（ａ）が左側面図、（ｂ）が平面図の一部、（ｃ）が正面図の一部、（ｄ）が断面図の一部である。
【００３５】
図１４に示すように、絶縁板立ち下げ部２−１を設けることに代え、カバー用絶縁板２と回路基板３の部品実装面との間に、パッキン等の害虫防除部材１０を設けた。
害虫防除部材１０は、害虫防除部材１０は、端子台６の背面部側にカバー用絶縁板２と回路基板３の部品実装面とに接触するように設けられる（図１３（ｄ）参照）。また、害虫防除部材１０の高さＨ６は、カバー板１−１と回路基板３の部品実装面との間の距離Ｌ１と略同一である。
したがって、端子台６の背面部側で、回路基板３の部品実装面とカバーケース１との間の隙間は、害虫防除部材１０によって塞がれる。
【００３６】
図１５は、図１２に示す絶縁板立ち下げ部２−１と回路基板３の部品実装面との接触部分の説明図である。
図１５（ａ）に示すように、回路基板３の部品実装面に溝を設け、絶縁板立ち下げ部２−１の端部をその溝へ挿入するようにしてもよい。回路基板３の部品実装面に設ける溝を断面形状がＶ字型の溝としてもよい。
また、図１５（ｂ）に示すように、回路基板３の部品実装面に凹部（あるいは孔）を設けるとともに、絶縁板立ち下げ部２−１の端部に凸部を設け、凸部を凹部に挿入するようにしてもよい。
このような構造とすることで、絶縁板立ち下げ部２−１と回路基板３の部品実装面との間に隙間ができづらくなる。
【００３７】
なお、害虫防除部材１０を用いる場合についても同様に、回路基板３の部品実装面に溝を設け、害虫防除部材１０の端部をその溝へ挿入するようにしてもよいし、回路基板３の部品実装面に凹部を設けるとともに、害虫防除部材１０の端部に凸部を設け、凸部を凹部に挿入するようにしてもよい。
【符号の説明】
【００３８】
１  カバーケース、２  カバー用絶縁板、３  回路基板、４  ベース用絶縁板、５  ベースケース、６  端子台、７  回路部品、８  隙間、９，１０  害虫防除部材、２０  放電灯点灯装置。
【図１】
2010282778.tif 000003
【図２】
2010282778.tif 000004
【図３】
2010282778.tif 000005
【図４】
2010282778.tif 000006
【図５】
2010282778.tif 000007
【図６】
2010282778.tif 000008
【図７】
2010282778.tif 000009
【図８】
2010282778.tif 000010
【図９】
2010282778.tif 000011
【図１０】
2010282778.tif 000012
【図１１】
2010282778.tif 000013
【図１２】
2010282778.tif 000014
【図１３】
2010282778.tif 000015
【図１４】
2010282778.tif 000016
【図１５】
2010282778.tif 000017